【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
基台部の表面部に固定されている底部固定板部と当該底部固定板部と接合され当該基台部の表面部に対して略直角に配置されている側壁固定板部と当該側壁固定板部の転倒防止のため当該底部固定板部と当該側壁固定板部との間に配置されている斜控え材部とで構成された壁支持構成体がコンクリートで構成された板状直方体構造部と一体化されている事を特徴とする壁コンクリート。
【請求項２】
水平線に対して垂直若しくは垂直に近い角度を有する擁壁部を持った基台部若しくは下方部に空間部が存在する基台部の端縁部に沿って形成されている壁コンクリートであって、当該壁コンクリートは、当該基台部の表面部に於ける当該端縁部に沿って固定的に配置されている底部固定板部と当該基台部の当該端縁部に沿って配置されており、当該底部固定板部と略直交する角度を形成して上方に延展され且つ当該底部固定板部に適宜の固定手段を介して接合固定されている側壁固定板部と、当該底部固定板部と当該側壁固定板部との間に形成される角度を所定の値に設定保持する為に当該底部固定板部と当該側壁固定板部との間に配置されている斜控え材部とから構成される壁支持構成体及び適宜の鉄筋が内在され、所定の厚み及び少なくとも当該基台部の表面部に於ける当該端縁部に沿って所定の長さと高さを持った側壁面を有するコンクリートからなる直方体構造部とから構成されており、且つ当該直方体構造部の当該端縁部に沿って配置される当該側壁部の少なくとも一部が当該側壁固定板部と密着接合されていると共に、当該直方体構造部の底部の少なくとも一部が当該底部固定板部と密着接合されている事を特徴とする壁コンクリート。
【請求項３】
当該側壁固定板部及び当該底部固定板部は、金属或は合成樹脂若しくはそれらの複合体によりそれぞれ別体に形成されている事を特徴とする請求項１又は２に記載の壁コンクリート。
【請求項４】
当該底部固定板部は、当該基台部の表面部に当接し、当該表面部に固定される底部固定板本体部と当該底部固定板本体部に対して略直角に屈曲形成された側壁固定板部接合保持部とを有する事を特徴とする請求項１乃至３の何れかに記載の壁コンクリート。
【請求項５】
当該底部固定板本体部には、当該底部固定板本体部を当該基台部の表面部の固定するための固定手段を配置する為の固定手段配置部が設けられている事を特徴とする請求項４に記載の壁コンクリート。
【請求項６】
当該底部固定板部には、更に補強部材が設けられている事を特徴とする請求項４又は５に記載の壁コンクリート。
【請求項７】
当該側壁固定板部は、当該基台部の当該端縁部に近接する部分に、当該底部固定板部との接合手段を配置する接合手段配置部が設けられている事を特徴とする請求項１乃至６の何れかに記載の壁コンクリート。
【請求項８】
当該側壁固定板部には、更に補強部材が設けられている事を特徴とする請求項７に記載の壁コンクリート。
【請求項９】
基台部の表面部に固定されている底部固定板部と当該底部固定板部と接合され当該基台部の表面部に対して略直角に配置されている側壁固定板部と当該側壁固定板部の転倒防止のため当該底部固定板部と当該側壁固定板部との間に配置されている斜控え材部とで壁支持構成体を形成し、次いで当該側壁固定板部の当該基台部の表面部と対向する内面側に所定の幅と長さ及び高さを有する鉄筋を格子状に組み立てて形成した後、当該格子状の鉄筋を介して当該側壁固定板部の内面との間に所定の間隔を設けて内側型枠を設置し、当該壁固定板部と当該内側型枠との間の空間部にコンクリートを打設することを特徴とする壁コンクリートの製造方法。
【請求項１０】
水平線に対して垂直若しくは垂直に近い角度を有する擁壁部を持った基台部若しくは下方部に空間部が存在する基台部の端縁部に沿って形成されている壁コンクリートの製造方法であって、当該基台部の表面部に於ける当該端縁部に沿って当該表面部に底部固定板部を固定配置すると共に当該端縁部に沿って底部固定板部と直角に側壁固定板を接合して配置せしめ、更に、当該底部固定板部と当該側壁固定板部との間に転倒防止のための斜控え材部を取り付け、その後、当該側壁固定板部の当該基台部の表面部と対向する内面側に所定の幅と長さ及び高さを有する鉄筋を格子状に組み立てて形成した後、当該格子状の鉄筋を介して当該側壁固定板部の内面との間に所定の間隔を設けて内側型枠を設置し、当該壁固定板部と当該内側型枠との間の空間部にコンクリートを打設することを特徴とする壁コンクリートの製造方法。
【請求項１１】
当該内側型枠は、当該コンクリートが硬化された後に剥離する事を特徴とする請求項９又は１０に記載の壁コンクリートの製造方法。
【請求項１２】
当該底部固定板部及び当該側壁固定板部とは、予め工場で所定の長さ及び所定の幅に製作され、当該壁コンクリートに形成現場で当該基台部に於ける当該端縁部の内側からの操作により当該底部固定板部を当該基台部の表面部に固定すると共に、当該側壁固定板部を当該基台部の表面部に対して直交する方向に立設せしめて当該底部固定板部に固定し、更に当該斜控え材部を当該底部固定板部と当該側壁固定板部との間に配置する工程が実行される事を特徴とする請求項９又は１０に記載の壁コンクリートの製造方法。
【請求項１３】
当該底部固定板部及び当該側壁固定板部は、金属或は合成樹脂によりそれぞれ別体に形成されている事を特徴とする請求項９乃至１２の何れかに記載の壁コンクリートの製造方法。
【請求項１４】
水平線に対して垂直若しくは垂直に近い角度を有する擁壁部を持った基台部若しくは下方部に空間部が存在する基台部の端縁部に沿って形成されている壁コンクリートの製造方法であって、当該基台部の表面部に於ける当該端縁部に沿って当該表面部に底部固定板部を固定配置すると共に当該端縁部に沿って底部固定板部と直角に側壁固定板を接合して配置せしめ、更に、当該底部固定板部と当該側壁固定板部との間に転倒防止のための斜控え材部を取り付け、その後、当該側壁固定板部の当該基台部の表面部と対向する内面側に所定の幅と長さ及び高さを有する鉄筋を格子状に組み立てて形成した後、当該格子状の鉄筋を介して当該側壁固定板部の内面との間に所定の間隔を設けて内側型枠を設置し、当該壁固定板部と当該内側型枠との間の空間部にコンクリートを注入することを特徴とする壁コンクリートの施工方法。
【手続補正２】
【補正対象書類名】明細書
【補正対象項目名】００１１
【補正方法】変更
【補正の内容】
【００１１】
本発明に係る当該壁コンクリートは、上記目的を達成するために、以下に示す様な基本的技術構成を採用するものである。
即ち、本発明に係る第１の態様に係る壁コンクリートの基本的な態様は、基台部の表面部に固定されている底部固定板部と当該底部固定板部と接合され当該基台部の表面部に対して直角に配置されている側壁固定板部と当該側壁固定板部の転倒防止のため当該底部固定板部と当該側壁固定板部との間に配置されている斜控え部とで構成された壁支持構成体がコンクリートで構成された板状直方体構造部と一体化されている事を特徴とする壁コンクリートであり、又本発明に係る第２の態様に係る壁コンクリートの基本的な態様は、水平線に対して垂直若しくは垂直に近い角度を有する擁壁部を持った基台部若しくは下方部に空間部が存在する基台部の端縁部に沿って形成されている壁コンクリートであって、当該壁コンクリートは、当該基台部の表面部に於ける当該端縁部に沿って配置されている底部固定板部と当該基台部の当該端縁部に沿って配置されており、当該底部固定板部と略直交する角度を形成して上方に延展され且つ当該底部固定板部に適宜の固定手段を介して接合固定されている側壁固定板部と、当該底部固定板部と当該側壁固定板部との間に形成される角度を所定の値に設定保持する為に当該底部固定板部と当該側壁固定板部との間に配置されている斜控え材部とから構成される壁支持構成体及び適宜の鉄筋が内在され、所定の厚み及び少なくとも当該基台部の表面部に於ける当該端縁部に沿って所定の長さと高さを持った側壁面を有するコンクリートからなる直方体構造部とから構成されており、且つ当該直方体構造部の当該端縁部に沿って配置される当該側壁部の少なくとも一部が当該側壁固定板部と密着接合されていると共に、当該直方体構造部の底部の少なくとも一部が当該底部固定板部と密着接合されている事を特徴とする壁コンクリートである。